(57)【特許請求の範囲】
【請求項１】
略密閉状態の植物容器の内部に配設される従動ファンであって、前記植物容器の非磁性絶縁体部に近接配置される従動側回転体を有する従動ファンと、
前記植物容器の外側から前記従動側回転体と対向するよう前記非磁性絶縁体部にセットされる電動回転体であって、駆動側永久磁石部を有する電動回転体と、
前記電動回転体を回転駆動する電動機と、
前記従動側回転体に設けられ、結露による従動側回転体と非磁性絶縁体部との間の架橋を防止するための結露架橋防止手段と
を備え、
前記従動ファンは、前記電動回転体の回転時に、前記従動側回転体が前記駆動側永久磁石部による磁気吸引力及び／又は渦電流に作用する力を受けることにより、前記電動回転体の回転に追従して回転する
ことを特徴とする植物容器用送風ファン。
【請求項２】
請求項１において、
前記結露架橋防止手段は、前記従動側回転体における前記非磁性絶縁体部との対向面に局所的に形成された凹部であることを特徴とする植物容器用送風ファン。
【請求項３】
請求項１において、
前記結露架橋防止手段は、前記従動側回転体における前記非磁性絶縁体部との対向面に局所的に形成された貫通孔であることを特徴とする植物容器用送風ファン。
【請求項４】
請求項１において、
前記結露架橋防止手段は、前記従動側回転体における前記非磁性絶縁体部との対向面にコーティングされた撥水膜であることを特徴とする植物容器用送風ファン。
【発明の詳細な説明】
【０００１】
【発明の属する技術分野】
本発明は、植物容器用送風ファン、詳しくは、栽培用植物又は観賞用植物を略密閉状態で収容している植物容器の内部に風を発生させ、植物容器内部の環境の改善を図るための植物容器用送風ファンに関する。
【０００２】
【従来の技術】
従来、特開平９−２４８０６６号公報、特開平１０−１５０８５７号公報などに記載されるように、ハエトリグサ、コモウセンゴケ、ミミカキグサなどの植物を略密閉された容器内で栽培、観賞することが行われている。
【０００３】
【発明が解決しようとする課題】
しかしながら、容器内の環境は自然界とは異なり無風で停滞したものであるため、植物の成長にとって必ずしも好適とはいえない。また、透明な保護ケースの上端部内面に蒸発した水による結露が発生しやすく、結露によって視界が妨げられ、植物を十分に観賞できなくなるという問題があった。
【０００４】
そこで、本発明者らは、上記のような問題点を解決し、容器内の環境の改善を図り植物が枯れるのを防止し成長の促進を図るとともに、結露を簡単に除去し植物を十分に観賞できるようにすることを目的として、特願平１１−１６２９５７号に記載される植物容器用送風ファンを考案するに至った。
【０００５】
ところが、この植物容器用送風ファンにも新たな問題点が見つかった。この問題点は、結露が保護ケースと送風ファンの従動側回転体との間を架橋することによって送風ファンの始動時の負荷が増大し送風ファンが良好に始動しなくなるというものである。
【０００６】
本発明は、上記のような新たな問題点を解決し、結露による送風ファンの始動性の低下を防止し送風ファンを良好に始動させることを目的としてなされたものである。
【０００７】
【課題を解決するための手段】
本発明による植物容器用送風ファンは、略密閉状態の植物容器の内部に配設される従動ファンであって、前記植物容器の非磁性絶縁体部に近接配置される従動側回転体を有する従動ファンと、前記植物容器の外側から前記従動側回転体と対向するよう前記非磁性絶縁体部にセットされる電動回転体であって、駆動側永久磁石部を有する電動回転体と、前記電動回転体を回転駆動する電動機と、前記従動側回転体に設けられ、結露による従動側回転体と非磁性絶縁体部との間の架橋を防止するための結露架橋防止手段とを備え、前記従動ファンは、前記電動回転体の回転時に、前記従動側回転体が前記駆動側永久磁石部による磁気吸引力及び／又は渦電流に作用する力を受けることにより、前記電動回転体の回転に追従して回転することを特徴とする。
【０００８】
【発明の実施の形態】
以下、図面に基づいて本発明の一実施形態を説明する。
【０００９】
図１は、一実施形態に係る植物容器用送風ファンが組み込まれた植物容器の構成図を示す。
【００１０】
図１において、植物容器１は、ベースプレート２と透明な保護ケース３とを備え、内部が略密閉状態に維持されている。保護ケース３は、プラスチック製又はガラス製のものであり、非磁性絶縁体である。ベースプレート２の上には、培地４が設けられ、培地４に、ハエトリグサ、コモウセンゴケ、ミミカキグサなどの植物５が植えられている。
【００１１】
植物容器用送風ファン１０は、植物容器１の内部に配設される従動ファン１１と、植物容器１の外側から従動ファン１１と対向するようセットされる駆動装置１２とから構成される。
【００１２】
従動ファン１１は、保護ケース３に固着される軸受１３と、この軸受１３に回転可能に保持される従動側回転体１４とを備える。
【００１３】
従動側回転体１４は、例えば図２に示すように、羽根車の各羽根１５1 〜１５5 の一部に磁性体部、従動側永久磁石部又はＡｌ（アルミ）板等の非磁性導電体部１６1 〜１６5 が設けられて構成される。各磁性体部、従動側永久磁石部又は非磁性導電体部１６1 〜１６5 は、保護ケース３に近接して配置され、かつ、後述する駆動側永久磁石部２３に対し対向して配置される。なお、駆動側永久磁石部２３と従動側永久磁石部１６1 〜１６5 は、互いに磁気吸引力を受けることができる極性で配置されている。
【００１４】
従動側回転体１４には、図３、図４又は図５に示すような結露架橋防止手段が設けられている。
【００１５】
図３に示す結露架橋防止手段は、従動側回転体１４における非磁性絶縁体部（保護ケース）３との対向面に局所的に形成された凹部３１（通常の窪みの他、両端が開口、閉口しているかどうかを問わずに凹条溝を含む）であり、これらの凹部３１は、保護ケース３の上端部内面に発生した結露４０が成長して保護ケース３と従動側回転体１４との間を架橋し始めた瞬間に、結露４０を保護ケース３の上端部内面から引き離して当該凹部３１内に導き入れ、結露４０による架橋の発生を防止することができるよう構成されている。
【００１６】
また、図４に示す結露架橋防止手段は、従動側回転体１４における非磁性絶縁体部３との対向面に局所的に形成された貫通孔３２、好ましくは鉛直方向の貫通孔であり、これらの貫通孔３２は、上記凹部３１の作用と同様、保護ケース３の上端部内面に発生した結露４０が成長して保護ケース３と従動側回転体１４との間を架橋し始めた瞬間に、結露４０を保護ケース３の上端部内面から引き離して当該貫通孔３２内に導き入れさらに当該貫通孔３２内から滴下可能にし、結露４０による架橋の発生を防止することができるよう構成されている。
【００１７】
また、図５に示す結露架橋防止手段は、従動側回転体１４における非磁性絶縁体部３との対向面にコーティングされた撥水膜３３であり、この撥水膜３３は、保護ケース３の上端部内面に発生した結露４０が成長して保護ケース３と従動側回転体１４との間を架橋し始めたとき、その撥水性によって、結露４０と従動側回転体１４との間の摩擦係数を略零にし、実質的に保護ケース３と従動側回転体１４との間を結露４０によって架橋させないよう構成されている。
【００１８】
従動側回転体１４は、上記の如き構成のもの以外に、図示しないが、羽根車とこの羽根車の回転軸に固着された円板とから構成され、円板に上記磁性体部、従動側永久磁石部又は非磁性導電体部１６1 〜１６5 に相当する複数の磁性体部、従動側永久磁石部又は非磁性導電体部を設け、これらの磁性体部、従動側永久磁石部又は非磁性導電体部を保護ケース３に近接配置させて構成し、さらに、図３、図４又は図５に示すような結露架橋防止手段３１、３２又は３３を設けたものであってもよい。
【００１９】
さらに、円板は、母材として非磁性導電材料（例えばオーステナイト系ステンレス）が使用され、かつ、非磁性導電材料に局所的に機械的下降が施されて磁性化（マルテンサイト変態）された磁性体部を有し、さらに、上記の如き結露架橋防止手段３１、３２又は３３を設けたものであってもよい。その他、円板は、Ａｌ板等の非磁性導電体に局所的に磁性メッキ例えばＮｉメッキを施して磁性体部が形成されたもの、あるいは、Ａｌ板等の非磁性導電体に磁性メッキ例えばＮｉメッキを全体に施し、さらに、上記の如き結露架橋防止手段３１、３２又は３３を設けたものであってもよい。さらに、円板は、単に磁性体からなり、さらに、上記の如き結露架橋防止手段３１、３２又は３３を設けたものであってもよい。
【００２０】
駆動装置１２は、下端が保護ケース３の外面に係止可能なケース１７を備える。ケース１７の内部には保持アーム１８が設けられ、この保持アーム１８によって電動機１９が保持されている。電動機１９は、ケース１７に内蔵された電池２０から電力供給を受け、ケース１７に配設されたスイッチ２１によって運転及び停止される。
【００２１】
電動機１９の出力軸には電動回転体２２が固着されている。電動回転体２２は、保護ケース３の形状に合わせて保護ケース３と接触しないような板形状に形成されており、下面に複数の駆動側永久磁石部２３を有している。複数の駆動側永久磁石部２３は、保護ケース３に近接して配置される。
【００２２】
上記の如き構成の送風ファン１０を備える植物容器１において、送風ファン１０の運転停止時に、図３に示す凹部３１は、保護ケース３の上端部内面に発生した結露４０が成長して保護ケース３と従動側回転体１４との間を架橋し始めた瞬間に、結露４０を保護ケース３の上端部内面から引き離して当該凹部３１内に導き入れ、結露４０による架橋の発生を防止し、また、図４に示す貫通孔３２は、保護ケース３の上端部内面に発生した結露４０が成長して保護ケース３と従動側回転体１４との間を架橋し始めた瞬間に、結露４０を保護ケース３の上端部内面から引き離して当該貫通孔３２内に導き入れさらに当該貫通孔３２内から滴下可能にし、結露４０による架橋の発生を防止し、さらに、撥水膜３３は、保護ケース３の上端部内面に発生した結露４０が成長して保護ケース３と従動側回転体１４との間を架橋し始めたとき、その撥水性によって、結露４０と従動側回転体１４との間の摩擦係数を略零にし、実質的に保護ケース３と従動側回転体１４との間を結露４０によって架橋させない。
【００２３】
そして、送風ファン１０を使用するにあたっては、駆動装置１２を保護ケース３の上面に、従動ファン１１に対向させてセットする。そして、スイッチ２１を投入操作すると、電動機１９により電動回転体２２が回転を開始する。この電動回転体２２の回転開始により、電動回転体２２の駆動側永久磁石部２３による磁気吸引力及び／又は電磁誘導による渦電流に作用する力を受け、電動回転体２２の回転に追従して回転を開始する。この回転開始時、上記のように保護ケース３と従動側回転体１４との間に結露４０による架橋が発生していないことから、従動側回転体１４は、電動回転体２２の回転に円滑に追従して回転を開始することができる。従動側回転体１４の回転中、植物容器１内で風が発生し、植物容器１内の環境が自然界に似たものになる。また、保護ケース３の内面に結露が付着している場合、風によって結露を取り除くことができるようになる。
【００２４】
なお、保護ケース３の上端部内面に撥水膜を設け、結露が発生しにくくなるように構成しても結露による架橋を防止することができる。
【００２５】
また、植物容器１は、図１に示した構成のものに限定されるものではなく、他に、図示を省略したが、例えば、透明な広口びん状の本体とこの本体の上端開口部を塞ぐキャップとから構成されるものであってもよく、この場合、キャップに送風ファン１０の従動ファン１１を取り付けるようにする。
【００２６】
【発明の効果】
本発明の植物容器用送風ファンは、略密閉状態の植物容器の内部に配設される従動ファンであって、前記植物容器の非磁性絶縁体部に近接配置される従動側回転体を有する従動ファンと、前記植物容器の外側から前記従動側回転体と対向するよう前記非磁性絶縁体部にセットされる電動回転体であって、駆動側永久磁石部を有する電動回転体と、前記電動回転体を回転駆動する電動機と、前記従動側回転体に設けられ、結露による従動側回転体と非磁性絶縁体部との間の架橋を防止するための結露架橋防止手段とを備え、前記従動ファンは、前記電動回転体の回転時に、前記従動側回転体が前記駆動側永久磁石部による磁気吸引力及び／又は渦電流に作用する力を受けることにより、前記電動回転体の回転に追従して回転することを特徴とする。
【００２７】
このため、本発明によると、結露架橋防止手段により結露による従動側回転体と非磁性絶縁体部との間の架橋を防止することができ、送風ファンの始動時に、従動ファンを電動ファンの回転に円滑に追従させて回転開始させることができるようになる。また、従動ファンの回転により植物容器内に風が起こり、植物容器内の環境を自然界に似たものにすることができる。また、保護ケースの内面に結露が付着している場合、風によって結露を取り除くことも可能となる。
【図面の簡単な説明】
【図１】本発明の一実施形態に係る植物容器用送風ファンが組み込まれた植物容器の構成図である。
【図２】同送風ファンの従動側回転体の正面図である。
【図３】同従動側回転体の一例の要部の断面図である。
【図４】同従動側回転体の他の例の要部の断面図である。
【図５】同従動側回転体のさらに他の例の要部の断面図である。
【符号の説明】
１    植物容器
３    保護ケース（非磁性絶縁体部）
５    植物
１０    送風ファン
１１    従動ファン
１４    従動側回転体
２２    電動回転体
２３    駆動側永久磁石部
３１    凹部（結露架橋防止手段）
３２    貫通孔（結露架橋防止手段）
３３    撥水膜（結露架橋防止手段）
４０    結露
【図１】
0004118468.tif 000002
【図２】
0004118468.tif 000003
【図３】
0004118468.tif 000004
【図４】
0004118468.tif 000005
【図５】
0004118468.tif 000006